(57)【要約】【課題】張力下の負荷を吸収し、かつ、簡易に閉止・開放するクロージャ装置の提供。【解決手段】第１構造要素２２の配列が設けられた第１表面２０３を有する第１クロージャ部２と、第２構造要素３２の配列が設けられた第２表面３０３を有する第２クロージャ部３とを備える２つの部品を連結するクロージャ装置１であって、第１クロージャ部２および第２クロージャ部３は、第１クロージャ部２の第１表面２０３が第２クロージャ部３の第２表面３０３と向かい合うことで、第１構造要素２２と第２構造要素３２とが互いに係合し、クロージャ部２，３が負荷方向Ｂ１，Ｂ２に沿って互いに対して移動することを阻害するように配置される。このとき、第１クロージャ部２は、第１表面２０３に沿って互いに対してオフセットして配置された複数の磁極Ｎ，Ｓを有する第１の磁石配列２１を有し、第２クロージャ部３は、第２表面３０３に沿って互いに対してオフセットして配置された複数の磁極Ｎ，Ｓを有する第２の磁石配列３１を有する。【選択図】図１
2019529033.tif 000002
【特許請求の範囲】
【請求項１】
−  第１構造要素（２２）の配列が設けられた第１表面（２０３）を有する第１クロージャ部（２）と、
−  第２構造要素（３２）の配列が設けられた第２表面（３０３）を有する第２クロージャ部（３）と、を備え、
前記第１クロージャ部（２）および前記第２クロージャ部（３）は、前記第１クロージャ部（２）の前記第１表面（２０３）が前記第２クロージャ部（３）の前記第２表面（３０３）と向かい合うことで、前記第１構造要素（２２）と前記第２構造要素（３２）とが互いに係合し、前記両クロージャ部（２，３）が負荷方向（Ｂ１，Ｂ２）に沿って互いに対して移動することをブロックするように、共に配置される、２つの部品を連結するクロージャ装置（１）において、
前記第１クロージャ部（２）は、前記第１表面（２０３）に沿って互いに対してオフセットされている複数の磁極（Ｎ，Ｓ）を有する第１の磁石配列（２１）を有し、前記第２クロージャ部（３）は、前記第２表面（３０３）に沿って互いに対してオフセットされている複数の磁極（Ｎ，Ｓ）を有する第２の磁石配列（３１）を有することを特徴とするクロージャ装置（１）。
【請求項２】
請求項１に記載のクロージャ装置（１）において、前記第１構造要素（２２）および前記第２構造要素（３２）は同タイプに形成されていることを特徴とするクロージャ装置（１）。
【請求項３】
請求項１または２に記載のクロージャ装置（１）において、前記第１構造要素（２２）は前記第１表面（２０３）から突出しており、前記第２構造要素（３２）は前記第２表面（３０３）から突出していることを特徴とするクロージャ装置（１）。
【請求項４】
請求項１から３のいずれか一項に記載のクロージャ装置（１）において、前記第１構造要素（２２）は第１制止面（２２０）を有し、前記第２構造要素（３２）は第２制止面（３２０）を有し、前記第１構造要素（２２）および前記第２構造要素（３２）は、前記クロージャ部（２，３）に前記負荷方向（Ｂ１，Ｂ２）に負荷が加えられたとき動いて、前記制止面（２２０，３２０）によってブロックするように互いに当接することを特徴とするクロージャ装置（１）。
【請求項５】
請求項４に記載のクロージャ装置（１）において、前記第１構造要素（２２）の前記第１制止面（２２０）は、前記第１表面（２０３）に対して垂直に向いており、および／または、前記第２構造要素（３２）の前記第２制止面（３２０）は、前記第２表面（３０３）に対して垂直に向いていることを特徴とするクロージャ装置（１）。
【請求項６】
請求項４に記載のクロージャ装置（１）において、前記第１構造要素（２２）の前記第１制止面（２２０）は、前記第１表面（２０３）に対してアンダーカットを形成するように角度がつけられており、および／または、前記第２構造要素（３２）の前記第２制止面（３２０）は、前記第２表面（３０３）に対してアンダーカットを形成するように角度がつけられていることを特徴とするクロージャ装置（１）。
【請求項７】
請求項４から６のいずれか一項に記載のクロージャ装置（１）において、前記第１構造要素（２２）は第１の乗り上げ面（２２１）を有し、前記第２構造要素（３２）は第２の乗り上げ面（３２１）を有し、前記第１構造要素（２２）および前記第２構造要素（３２）は、前記クロージャ部（２，３）に前記負荷方向（Ｂ１，Ｂ２）とは反対方向の負荷が加えられたとき、前記乗り上げ面（２２０，３２０）によって互いに乗り上げることを特徴とするクロージャ装置（１）。
【請求項８】
請求項７に記載のクロージャ装置（１）において、前記第１の乗り上げ面（２２１）および前記第２の乗り上げ面（３２１）は、対応する前記クロージャ部（２，３）の前記表面（２０３，３０３）に角度をつけて延びる斜面を形成していることを特徴とするクロージャ装置（１）。
【請求項９】
請求項１から８のいずれか一項に記載のクロージャ装置（１）において、前記第１構造要素（２２）および前記第２構造要素（３２）の一方または両方は、それぞれの前記表面（２０３，３０３）のトップビューにおいて、それぞれカーブした形状またはＶ字形状を有することを特徴とするクロージャ装置（１）。
【請求項１０】
請求項１から９のいずれか一項に記載のクロージャ装置（１）において、前記第１構造要素（２２）および／または前記第２構造要素（３２）は、少なくとも１つの脚部（２２２，３２２）を有し、前記少なくとも１つの脚部（２２２，３２２）はそれぞれ、対応する前記表面（２０３，３０３）に沿って延び、かつ、前記負荷方向（Ｂ１，Ｂ２）に対して傾斜した角度で方向づけられていることを特徴とするクロージャ装置（１）。
【請求項１１】
請求項１０に記載のクロージャ装置（１）において、前記第１構造要素（２２）および／または前記第２構造要素（３２）は、２つの脚部（２２２，３２２）を有し、前記脚部（２２２，３２２）はそれぞれ互いに角度をつけて、特に鈍角で設けられていることを特徴とするクロージャ装置（１）。
【請求項１２】
請求項１から１１のいずれか一項に記載のクロージャ装置（１）において、前記第１構造要素（２２）の複数の列（Ａ，Ｂ）が、前記第１表面（２０３）において前記負荷方向（Ｂ１，Ｂ２）に沿って互いにオフセットされて配置されており、および／または、前記第２構造要素（３２）の複数の列（Ａ，Ｂ）が、前記第２表面（３０３）において前記負荷方向（Ｂ１，Ｂ２）に沿って互いにオフセットされて配置されていることを特徴とするクロージャ装置（１）。
【請求項１３】
請求項１２に記載のクロージャ装置（１）において、隣り合う列（Ａ，Ｂ）の前記構造要素（２２，３２）は、前記負荷方向（Ｂ１，Ｂ２）に対して横方向から見たとき、互いにオフセットされていないか、または、各前記クロージャ部（２，３）の各前記表面（２０３，３０３）に沿って、負荷方向（Ｂ１，Ｂ２）に対して横方向に計測した構造要素（２２，３２）の幅の半分だけ互いにオフセットされていることを特徴とするクロージャ装置（１）。
【請求項１４】
請求項１から１３のいずれか一項に記載のクロージャ装置（１）において、前記第１の磁石配列（２１）および前記第２の磁石配列（３１）の一方または両方は、永久磁石要素の配列によって、または、多極永久磁石フィルムによって少なくとも部分的に形成されていることを特徴とするクロージャ装置（１）。
【請求項１５】
請求項１から１４のいずれか一項に記載のクロージャ装置（１）において、前記第１の磁石配列（２１）の前記磁極（Ｎ，Ｓ）および前記第２の磁石配列（３１）の前記磁極（Ｎ，Ｓ）の一方または両方は、列として周期的に共に配置されていることを特徴とするクロージャ装置（１）。
【請求項１６】
請求項１から１５のいずれか一項に記載のクロージャ装置（１）において、前記第１の磁石配列（２１）の前記磁極（Ｎ，Ｓ）および前記第２の磁石配列（３１）の前記磁極（Ｎ，Ｓ）の一方または両方は、前記負荷方向（Ｂ１，Ｂ２）に沿って列として共に配置されていることを特徴とするクロージャ装置（１）。
【請求項１７】
請求項１６に記載のクロージャ装置（１）において、前記第１構造要素（２２）および前記第２構造要素（３２）の一方または両方は、第１の周期性（Ｐ１）を有し、前記第１の磁石配列（２１）の前記磁極（Ｎ，Ｓ）および前記第２の磁石配列（３１）の前記磁極（Ｎ，Ｓ）の一方または両方は、第２の周期性（Ｐ２）を有し、前記第１の周期性（Ｐ１）は、前記第２の周期性（Ｐ２）と一致するか、前記第２の周期性（Ｐ２）の整数倍であることを特徴とするクロージャ装置（１）。
【請求項１８】
請求項１６または１７に記載のクロージャ装置（１）において、前記第１構造要素（２２）および前記第２構造要素（３２）の一方または両方は、前記クロージャ部（２，３）が、前記負荷方向（Ｂ１，Ｂ２）とは反対の方向に解除移動距離（ＬＷ）だけ互いに変位可能であり、かつ、前記解除移動距離（ＬＷ）だけ変位させた場合、前記磁石配列（２１，３１）の同じ磁極（Ｎ，Ｓ）が磁気的に反発するように互いに向かい合うように、前記クロージャ部（２，３）に設けられていることを特徴とするクロージャ装置（１）。
【請求項１９】
請求項１６から１８のいずれか一項に記載のクロージャ装置（１）において、前記第１の磁石配列（２１）および前記第２の磁石配列（３１）は、前記クロージャ部（２，３）が共に配置されたとき、前記クロージャ部（２，３）が、無負荷状態において、前記負荷方向（Ｂ１，Ｂ２）に対して横方向に互いに変位可能であるように、それぞれ対応する前記構造要素（２２，３２）に対して配置されていることを特徴とするクロージャ装置（１）。
【請求項２０】
請求項１９に記載のクロージャ装置（１）において、前記クロージャ部（２，３）に互いに対して前記負荷方向（Ｂ１，Ｂ２）の負荷が加えられたとき、前記クロージャ部（２，３）が互いに対して横方向に変位することが阻害されることを特徴とするクロージャ装置（１）。
【請求項２１】
請求項１から２０のいずれか一項に記載のクロージャ装置（１）において、前記第１の磁石配列（２１）の前記磁極（Ｎ，Ｓ）および前記第２の磁石配列（３１）の前記磁極（Ｎ，Ｓ）の一方または両方が、前記負荷方向（Ｂ１，Ｂ２）に対して横方向に延びる横方向（Ｙ）に沿って列として共に配置されていることを特徴とするクロージャ装置（１）。
【請求項２２】
−  第１構造要素（２２）の配列が設けられた第１表面（２０３）を有する第１クロージャ部（２）と、
−  第２構造要素（３２）の配列が設けられた第２表面（３０３）を有する第２クロージャ部（３）と、を備え、
前記第１クロージャ部（２）および前記第２クロージャ部（３）は、前記第１クロージャ部（２）の前記第１表面（２０３）が前記第２クロージャ部（３）の前記第２表面（３０３）と向かい合うことで、前記第１構造要素（２２）と前記第２構造要素（３２）とが互いに係合し、前記クロージャ部（２，３）が負荷方向（Ｂ１，Ｂ２）に沿って互いに対して移動することをブロックするように、共に配置されているクロージャ装置（１）において、
前記第１クロージャ部（２）は第１の磁石配列（２１）を有し、前記第２クロージャ部（３）は第２の磁石配列（３１）を有し、前記第１の磁石配列（２１）および前記第２の磁石配列（３１）の一方または両方は、少なくとも部分的に永久磁石フィルムによって形成されていることを特徴とするクロージャ装置（１）。
【請求項２３】
請求項１から２２のいずれか一項に記載のクロージャ装置を備える、例えばブラジャーなどの、繊維製部品を連結する繊維製品のクロージャ。
【発明の詳細な説明】
【技術分野】
【０００１】
本発明は、請求項１の前提部に係る２つの部品を連結するクロージャ装置に関する。
【背景技術】
【０００２】
このようなクロージャ装置は、第１構造要素の配列が設けられた第１表面を有する第１クロージャ部と、第２構造要素の配列が設けられた第２表面を有する第２クロージャ部とを備える。これらの第１クロージャ部および第２クロージャ部は、第１クロージャ部の第１表面が第２クロージャ部の第２表面に向かい合うことで、第１構造要素と第２構造要素とが互いに係合し、これらのクロージャ部が負荷方向に沿って互いに対して移動することをブロックするように、共に配置される。
【０００３】
このようなクロージャ装置は、例えば、繊維製品（例えばブラジャーなどの服飾アイテム）に使用してもよい。また、上記のクロージャ装置は、他の部品を連結するために使用してもよく、例えば、バッグ、リュックサック、ケースもしくは他の形式の容器、または、例えば、防護ベスト（例えば、ライフジャケットなど）に用いられるクロージャとして使用してもよい。
【０００４】
特許文献１に開示されるクロージャ装置の場合、クロージャ部は、円弧状の要素を有する表面構造を有する。これらのクロージャ部を共に配置することにより、円形の要素が互いに係合してクロージャ部が共に保持される。
特許文献２に開示されるクロージャ装置の場合、クロージャ部は、例えば、マッシュルーム状の突出部の形態の構造要素を備え、これらの突出部を共に係止することで、クロージャ部の間を保持することができる。
【０００５】
例えば、（ベルクロ（登録商標）ファスナの形式で）繊維性衣服に用いられるクロージャとして使用することができるクロージャ装置の場合、特に張力下の負荷を好適かつ確実に吸収できることが望ましい。この場合、クロージャ装置は、簡易な方法で閉止され、簡易な方法で再び開放されるように構成され、かつ、負荷を受けたときに強い力に耐えることができるように構成する必要がある。また、用途が多様で、製造のコスト効率が高いことが望ましい。
【先行技術文献】
【特許文献】
【０００６】
【特許文献１】米国特許第７，４７８，４６０号
【特許文献２】米国特許第５，９８３，４６７号
【発明の概要】
【発明が解決しようとする課題】
【０００７】
本発明の目的は、張力下の負荷を吸収し、かつ、簡易に閉止して簡易に再び開放するのに適したクロージャ装置を提供することである。
【課題を解決するための手段】
【０００８】
上記の目的は、請求項１の構成を有するオブジェクトによって達成される。
【０００９】
よって、前記第１クロージャ部は、前記第１表面に沿って互いにオフセットされている（zueinander versetzten）複数の磁極を有する第１の磁石配列を有し、前記第２クロージャ部は、前記第２表面に沿って互いにオフセットされている複数の磁極を有する第２の磁石配列を有する。
【００１０】
前記クロージャ装置は、前記クロージャ部を共に配置することで閉じることができる。各クロージャ部は、その表面に、前記クロージャ部が配置されたとき、前記クロージャ部が共に固定されて張力に耐えることができるように互いに係合する構造要素の配列を有する。このとき、前記負荷方向は、前記クロージャ部の前記表面の平面における方向である。よって、前記負荷は、前記表面に対する接線方向に沿って作用する。
【００１１】
前記クロージャ部は、それぞれ、その表面において平坦に延びている。これにつき、前記クロージャ部は、少なくとも部分的に可撓性を有することが好ましく、これにより、その形状を柔軟に適合（例えば、湾曲）させることができる。
【００１２】
このとき、前記クロージャ部の表面における前記構造要素の配列の間の係合は、前記クロージャ部間の磁気的な相互作用によって実現される。このため、各クロージャ部に、複数の磁極を有する磁石配列が設けられ、これらの磁石配列は、閉止されたとき、また、（異なる磁極が、完全にまたは少なくとも部分的に、互いに向かい合う状態で）前記クロージャ部が共に配置されたとき、磁気的に吸引するように互いに向かい合って配置されている。よって、前記クロージャ装置は、磁気的な相互作用によって簡易に閉じられ、また、前記クロージャ部が共に配置されたとき、前記クロージャ部の前記構造要素は、これらのクロージャ部が磁気的に共に堅固に保持されるように係合状態で磁気的に保持される。
【００１３】
各磁石配列の磁極は、それぞれのクロージャ部の表面に沿って互いにずらして配置されている。よって、前記磁石配列は多極配列であり、前記クロージャ部が共に配置されて前記クロージャ装置が閉じられ、前記クロージャ部の前記磁石配列の異なる磁極が吸引するように互いに向かい合っている状態で、複数の異なる磁極（Ｎ極およびＳ極）がそれぞれ他方のクロージャ部の磁石配列に面している。
【００１４】
前記多極磁石配列により、特に、前記クロージャ部を、限られた数の個別の位置に共に配置させることもできる。こうした個別の位置は、前記クロージャ部の前記磁石配列が磁気的に吸引するように互いに向かい合うことで、前記磁石配列の異なる磁極が互いに向かい合って配置される位置によって予め定められる。
【００１５】
開放するためには、例えば、前記クロージャ部を互いに離すように引っ張るだけでよく、これにより、前記クロージャ部の前記構造要素の相互の係合が外れる。前記クロージャ部を負荷方向とは反対の方向に互いに移動させて開放するように構成することで、前記磁石配列の対応する極性により、例えば、この接線方向の開放動作によって前記磁石配列の同じ極を互いに近づけると、前記クロージャ部が互いに反発するように構成することも考えられ、可能である。これにより、前記クロージャ装置を、特に簡易かつ触覚的に好ましい方法で開放することができる。
【００１６】
一実施形態において、前記クロージャ部は雌雄両性的（hermaphroditisch）に実現され、それぞれ、同一の構造要素の配列を有する。よって、前記第１クロージャ部の前記第１構造要素は、前記第２クロージャ部の前記第２構造要素と形態で一致する（また、場合によってはその配列も一致する）。特に、前記第１構造要素は、前記第１クロージャ部の前記表面から突出していてもよく、前記第２構造要素は、前記第２クロージャ部の前記表面から突出していてもよい。よって、これらの要素は突出する係合凸部として形成してもよい。
【００１７】
前記クロージャ装置が閉位置にあるとき、前記第１クロージャ部の前記第１構造要素および前記第２クロージャ部の前記第２構造要素は互いに係合している。原則として、前記構造要素は、任意に形成された突出要素によって、または、前記表面を任意の構造的形状とすることによって、全く異なる方法で実現してもよい。例えば、構造要素の配列は、それぞれのクロージャ部の表面に不規則に形成された（場合によっては顕微鏡的に小さい）山部および谷部によって粗面化することで形成してもよい。前記第１クロージャ部の前記第１表面における第１構造要素の配列、および、前記第２クロージャ部の前記第２表面における第２構造要素の配列によって各表面に形成される構造形態は、それぞれ他方の表面の構造形態と係合するように構成され、かつ、前記クロージャ装置が閉位置にあるとき、張力に耐え得る連結を生じさせる。
【００１８】
一実施形態において、前記第１構造要素は第１制止(ブロック)面を備え、前記第２構造要素は第２制止(ブロック)面を備える。前記クロージャ部が共に配置されているとき、前記構造要素は前記制止面によって互いに向かい合っており、これにより、前記クロージャ部に前記負荷方向の負荷が加えられたとき、前記制止面が互いに当接することによって、前記負荷方向への前記クロージャ部の相対的な移動がブロックされる。
【００１９】
前記制止面は、例えば、前記表面に対して垂直な方向を向く面として延びていてもよい。
その代替手段としては、前記制止面はアンダーカットを形成していてもよく、このため、前記表面に対して角度をつけて（鋭角で）延びていてもよい。
このとき、前記構造要素において、他のアンダーカット形状とした構成も可能である。これにより、前記構造要素は、互いに係合させることができるラッチラグまたはウェブなどを有していてもよい。
【００２０】
前記負荷方向における前記クロージャ部の相対的な移動は、前記制止面によってブロックされる。前記クロージャ部は、前記負荷方向において互いに接線方向に移動することができないので、前記クロージャ部における張力を吸収することができ、前記クロージャ部が共に配置されているとき、負荷に耐え得る連結が前記負荷方向に得られる。
【００２１】
このとき、前記連結が、前記負荷方向だけでなく前記負荷方向とは反対の方向においても張力に耐えることができるように構成することも考えられ、可能である。このため、前記第１構造要素は、それぞれ第１の制止面から離れた側に追加の制止面を備えていてもよく、また、同様に、前記第２構造要素は、それぞれ第２の制止面から離れた側に追加の制止面を備えていてもよい。前記負荷方向とは反対方向に負荷がかかる場合、前記構造要素は、前記追加の制止面を介して移動し、前記負荷方向とは反対方向においても前記クロージャ部の間が連結されるように互いに当接する。
【００２２】
しかしながら、他の実施形態において、前記クロージャ部が前記負荷方向とは反対方向に互いに移動して、例えば、互いに前記クロージャ部の閉位置をとって、例えば、前記クロージャ装置をテンションのかかる（spannen）構成とすることも可能である。このため、前記第１構造要素は第１の乗り上げ面を備え、前記第２構造要素は第２の乗り上げ面を備え、前記第１構造要素および前記第２構造要素は、前記クロージャ部に前記負荷方向とは反対方向の負荷が加えられたとき、前記乗り上げ面によって互いに乗り上げるように構成してもよい。これにより、前記第１構造要素は前記制止面によって前記負荷方向に面しており、前記乗り上げ面によって前記負荷方向とは反対の方向に面している。前記乗り上げ面は、例えば、それぞれのクロージャ部の前記表面に対して角度をつけて延び、前記クロージャ部が前記負荷方向とは反対の方向に互いに移動した場合に互いに乗り上げる傾斜面（Rampe）を形成していてもよい。
【００２３】
こうした乗り上げ面によって、前記負荷方向とは反対の方向に一種の機械的なフリーホイーリングが形成されてもよい。前記クロージャ部は、前記負荷方向に引っ張り負荷が加えられたとき互いに制止されるが、前記クロージャ部の前記構造要素は、前記負荷方向とは反対の方向に負荷が加えられたとき、前記乗り上げ面に乗り上げることで互いの上をスライドして、前記クロージャ部の相対的な位置を前記負荷方向とは反対の方向に変化させることができる。
【００２４】
前記第１構造要素および／または前記第２構造要素はそれぞれ、例えば、各表面のトップビューにおいて、湾曲形状またはＶ字形状を有していてもよい。前記構造要素は、例えば、円弧状またはＶ字形状であってもよい。
このＶ字形状の先端部は、例えば、前記負荷方向を向いていてもよい。１つのクロージャ部の構造要素は前記負荷方向に対して横方向に互いに分離されていてもよく、また、複数の構造要素が前記負荷方向に対して横方向に共に連結されている構成として、例えば、ジグザグ線または湾曲線を形成することも可能である。例えば、前記構造要素を互いに分離することによって、各クロージャ部において有利な柔軟性を得ることができる。
【００２５】
一実施形態において、前記構造要素はそれぞれ、例えば、対応する表面に沿って延び、かつ前記負荷方向に対して傾斜して並ぶ少なくとも１つの脚部を備えていてもよい。よって、前記構造要素がＶ字型である場合、各構造要素は、例えば、互いに対して角度をつけて（特に、鈍角で）並ぶ２つの脚部を備えていてもよい。Ｖ字型の設計により、前記構造要素の間の係合は、前記負荷方向に負荷が加わったとき、前記第１クロージャ部の前記第１表面における前記第１構造要素が引っ張られて、前記第２クロージャ部の前記第２表面における第２構造要素と係合し、Ｖ字形状の係合により、前記構造要素が、特に、負荷方向に対して横方向においても互いに変位不能であることによって自己補強することが好ましい。
【００２６】
前記第１構造要素は、前記第１クロージャ部の前記第１表面に、例えばグリッド状に設けてもよく、前記第２構造要素は、前記第２クロージャ部の前記第２表面にグリッド状に設けてもよい。これにより、前記第１表面の前記第１構造要素は、前記負荷方向に沿って列として互いにずらして配置してもよく、同様に、前記第２構造要素も前記第２表面に列として配置してもよい。このとき、隣り合う列の前記構造要素は、負荷方向に対して横方向からみたとき、互いにずれていなくてもよい。または、隣り合う列の前記構造要素は、負荷方向に対して横方向に計測した構造要素の幅の（精密に）半分だけ互いにずれていてもよい。
【００２７】
前記第１クロージャ部の前記第１の磁石配列および前記第２クロージャ部の前記第２の磁石配列はそれぞれ、対応するクロージャ部の前記表面に沿って互いにオフセットされて配置された複数の磁極で形成されている。これにつき、各磁石配列は、例えば、そのために設けられた前記クロージャ部の凹部に挿入された（個別の）永久磁石要素の配列によって実現され、それぞれのクロージャ部の前記表面に異なる極を向けていてもよい。しかしながら、各クロージャ部を多極永久磁石フィルムで実現することも考えられ、可能であり、このような永久磁石フィルムを、前記表面を形成する本体に前記構造要素の裏側において接着または溶接すること、または、前記構造要素が直接一体成形される前記表面において、この本体自体をこのような永久磁石フィルムで形成することも可能である。
前記永久磁石要素は、例えば、ネオジム磁石として実現してもよい。永久磁石フィルムは、例えば、プラスチック接着された、可撓性を有する永久磁石フィルムであって、例えば、ネオジムを部分的に含む磁性粉を含んでいてもよい。
【００２８】
前記第１の磁石配列の前記磁極および／または前記第２の磁石配列の前記磁極は、周期的に列として共に配置されていることが好ましい。よって、前記磁極は、例えば、列として共に配置され、かつ前記負荷方向および／または前記負荷方向に対して横方向に沿って互いにずらして配置された磁極によって、配列を形成している。
【００２９】
一実施形態において、前記第１の磁石配列の前記磁極および／または前記第２の磁石配列の前記磁極は、前記負荷方向に沿って列として共に配置されていてもよい。よって、Ｎ極およびＳ極は、（周期的に）並ぶように前記負荷方向に沿って交互に列として共に配置されている。このようにして、前記クロージャ部を共に連結するための別個の位置であって、前記第１クロージャ部の前記磁極および前記第２クロージャ部の前記磁極が引き付け合うように互いに精密に向かい合うことで、前記クロージャ部が互いに向かって磁気的に引っ張られ、かつ、前記クロージャ部の前記構造要素が互いに係合する位置を予め定めることが可能である。
【００３０】
好ましくは、それぞれ前記負荷方向から見たとき、前記第１構造要素および／または前記第２構造要素が第１の周期性を有し、前記第１の磁石配列の前記磁極および／または前記第２の磁石配列の前記磁極が第２の周期性を有する。このとき、前記第１の周期性は、前記第２の周期性と一致していても、前記第２の周期性の整数倍であってもよい。したがって、例えば、前記第１クロージャ部の前記構造要素および前記第２クロージャ部の前記構造要素が同一の（第１の）周期性で配置されている場合、かつ、この周期性が、前記第１の磁石配列および前記第２の磁石配列の前記磁極が互いに配置される前記第２の周期性と一致する場合、前記クロージャ部を共に配置して、前記構造要素によって精密に互いに係合させることができる個別の数の位置（diskrete Anzahl von Stellungen)を、前記磁極によって予め定めることが可能である。よって、前記クロージャ部の間の磁気吸引力により、前記構造要素が確実に互いに係合することで前記クロージャ装置が確実に閉止されるように精密に配置される。
【００３１】
その結果、前記第１の周期性が前記第２の周期性と一致するか、または前記第２の周期性の整数倍である場合、簡易に開放することが可能であり、または場合によっては一種の磁気的なフリーホイーリングを実現することも可能である。したがって、前記クロージャ部に互いに前記負荷方向とは反対の方向に負荷が加えられた場合、前記クロージャ部は、互いに前記負荷方向とは反対の方向に変位され、その結果、前記クロージャ部の前記磁石配列の同じ磁極が互いに近づけられて互いに反発することで、前記クロージャ装置を特に簡易な方法で開放することができる。このようにして、前記クロージャ部が互いに前記負荷方向とは反対の方向に移動するときの磁気反発力によって、前記クロージャ部が前記負荷方向とは反対の方向に互いに移動するとき、前記構造要素が互いに係合しないように構造要素を飛び越えることが可能である。上記の磁気的なフリーホイーリングの場合、対応する乗り上げ面を設けることによって前記構造要素をランプ状に設計する必要はない。
【００３２】
前記第１クロージャ部および前記第２クロージャ部は、磁気的なフリーホイーリングを提供するための前記負荷方向とは反対の方向の解除移動距離だけ、互いに変位可能であることが好ましい。前記解除移動距離だけ変位される場合、前記クロージャ部の前記磁石配列の同じ極が移動して互いに向かい合い、その結果、互いに反発する（前記磁石配列の極性は互いに逆である）。このとき、前記表面の前記構造要素は、前記解除移動距離だけ変位されるとき、一方のクロージャ部の各構造要素が、前記負荷方向とは反対の方向において他方のクロージャ部の次の構造要素とぶつからないように互いに対して配置されている。
前記解除移動距離は、前記負荷方向に沿って前記磁石配列の前記周期性の半分であることが好ましい。
【００３３】
前記クロージャ部の前記磁石配列は、列として共に配置され、かつ、前記クロージャ部が共に配置されたとき、前記構造要素が確実に互いに係合することが可能でありながらも、この場合、前記制止面によって互いに当接しないように、前記負荷方向に沿って精密に位置付けられていることが好ましい。よって、前記クロージャ部は、配置されたときに、互いに対して前記負荷方向に一定の遊びを有しており、かつ、この場合、前記クロージャ部が負荷方向に対して横方向に互いに変位できるように、特に負荷方向に対して横方向に、（未だ）互いに固定されていない。これにより、前記クロージャ部を互いに横方向に変位させることで、簡単に開放することができる。そして、前記構造要素は負荷を受けたときに係合して、前記制止面によって互いに当接する。特に前記構造要素がＶ字型に設計されている場合、この当接により、前記クロージャ部が互いに横方向に変位することも防止される。
【００３４】
前記負荷方向に沿った列として設ける構成に加えて、またはその代替として、前記第１の磁石配列の前記磁極および前記第２の磁石配列の前記磁極は、負荷方向を横断して延びる横方向に沿って列として共に設けることも可能である。これにより、前記クロージャ部を連結するための別個の位置であって、負荷方向に対して横方向に互いにずらして設けられた位置を予め定めることができる。上記の磁極の配列は、例えば、このように前記磁極を列として配置することにより、前記負荷方向とは反対の方向に調節する間に、前記負荷方向に対して横方向に位置づける機能が得られるので、上記の「機械的なフリーホイーリング」においても有利である。
一実施形態において、磁極は、交互に並ぶ磁極（Ｎ極およびＳ極）の２次元グリッドが得られるように、前記負荷方向および前記負荷方向に対して横方向の両方において列として共に配置されている。
【００３５】
また、上記の目的は、２つの部品を連結するクロージャ装置であって、第１構造要素の配列が設けられた第１表面を有する第１クロージャ部と、第２構造要素の配列が設けられた第２表面を有する第２クロージャ部とを備えるクロージャ装置によっても達成される。前記第１クロージャ部および前記第２クロージャ部は、前記第１クロージャ部の前記第１表面が前記第２クロージャ部の前記第２表面と向かい合うことで、前記第１構造要素および前記第２構造要素が互いに係合して、負荷方向に沿った前記クロージャ部の相対移動がブロックされるように共に配置されている。この場合、前記第１クロージャ部は第１の磁石配列を有し、前記第２クロージャ部は第２の磁石配列を有し、前記第１の磁石配列および／または前記第２の磁石配列は、少なくとも部分的に永久磁石フィルムによって形成されている。
【００３６】
上記の利点および有利な構成は、全く同じように、このクロージャ装置にも適用することができる。特に、全ての従属請求項の構成は、上記のクロージャ装置と組み合わせることも可能である。
上記の形式のクロージャ装置は、特に繊維製の衣服に使用してもよく、すなわち、特に衣服の場合、繊維製部品を連結するクロージャとして使用してもよい。このような繊維製の衣服には、ジャケット、ベルト、靴、または他の服飾アイテム（例えば、ブラジャーなど）が含まれる。
【００３７】
以下において、本発明の根底にある構想を、添付の図面に示す例示的な実施形態を用いてより詳細に説明する。
【図面の簡単な説明】
【００３８】
【図１】２つのクロージャ部を有するクロージャ装置の斜視図である。
【図２】図１に係る配列の上面図である。
【図３Ａ】図２に係る配列を透過して見たときの図である。
【図３Ｂ】図２の直線Ａ−Ａに沿った断面図である。
【図３Ｃ】図３Ｂの細部Ｃの拡大図である。
【図３Ｄ】クロージャ部の構造要素の模式図である。
【図４Ａ】クロージャ装置を開放するとき、図２に係る配列を透過して見たときの図である。
【図４Ｂ】クロージャ装置を開放するとき、図２の直線Ａ−Ａに沿った断面図である。
【図４Ｃ】図４Ｂの細部Ｃの拡大図である。
【図５】クロージャ部において、磁極が負荷方向に沿った列として共に配置されている例示的な実施形態のクロージャ装置の図である。
【図６】クロージャ部の磁極が負荷方向に対して横方向の列として共に配置されている例示的な実施形態のクロージャ装置の図である。
【図７】磁極の２次元グリッドが負荷方向およびこの負荷方向に対して横方向に沿った列として共に配置されている例示的な実施形態の図である。
【図８】別の例示的な実施形態のクロージャ装置の斜視図である。
【図９】図８に係る配列の分解図である。
【図１０Ａ】閉位置において、クロージャ装置を透過して見たときの図である。
【図１０Ｂ】クロージャ装置の上面図である。
【図１０Ｃ】図１０Ｂの直線Ａ−Ａに沿った断面図である。
【図１０Ｄ】図１０Ｃの細部Ｄの拡大図である。
【図１１Ａ】解除方向に引っ張るとき、クロージャ装置を透過して見たときの図である。
【図１１Ｂ】クロージャ装置の上面図である。
【図１１Ｃ】図１１Ｂの直線Ａ−Ａに沿った断面図である。
【図１１Ｄ】図１１Ｃの細部Ｄの拡大図である。
【図１２Ａ】他の閉位置において、クロージャ装置を透過して見たときの図である。
【図１２Ｂ】クロージャ装置の上面図である。
【図１２Ｃ】図１２Ｂの直線Ａ−Ａに沿った断面図である。
【図１２Ｄ】図１２Ｃの細部Ｄの拡大図である。
【図１３】構造要素の配列の模式図である。
【図１４】構造要素の別の配列の模式図である。
【図１５】構造要素のさらに別の配列の模式図である。
【図１６】構造要素のさらに別の配列の図である。
【図１７】構造要素のさらに別の配列の図である。
【図１８Ａ】開位置における例示的な実施形態のクロージャ装置の模式図である。
【図１８Ｂ】閉止するときのクロージャ装置の図である。
【図１８Ｃ】負荷状態におけるクロージャ装置の図である。
【図１９Ａ】開位置における、さらに別の例示的な実施形態のクロージャ装置の模式図である。
【図１９Ｂ】閉止するときのクロージャ装置の図である。
【図１９Ｃ】負荷状態におけるクロージャ装置の図である。
【図２０】例示的な実施形態のクロージャ装置の別の模式図である。
【図２１】磁石配列の周期性がより大きい例示的な実施形態のクロージャ装置の図である。
【図２２】クロージャ部における異なる磁石配列を示す図である。
【図２３】クロージャ部における異なる磁石配列を示す図である。
【図２４】クロージャ部における異なる磁石配列を示す図である。
【図２５】クロージャ部における異なる磁石配列を示す図である。
【図２６】クロージャ部における異なる磁石配列を示す図である。
【図２７】直線状に延びる構造要素が設けられたクロージャ部の斜視図である。
【図２８】角度をつけて延びる構造要素を有するクロージャ部の斜視図である。
【図２９】図２７に係る配列の側面図である。
【図３０】図２８に係る配列の側面図である。
【図３１Ａ】直線状に延びる、クロージャ部の構造要素の別の配列の側面図である。
【図３１Ｂ】図３１Ａに係る配列の上面図である。
【図３２Ａ】角度をつけて延びる、クロージャ部の構造要素の別の配列の側面図である。
【図３２Ｂ】図３２Ａに係る配列の上面図である。
【図３３】直線状に延びる構造要素を有するクロージャ部の上面図である。
【図３４】角度をつけて延びる構造要素を有するクロージャ部の上面図である。
【発明を実施するための形態】
【００３９】
図１には、平坦に延びる第１クロージャ部２と、平坦に延びる第２クロージャ部３とを備える例示的な実施形態のクロージャ装置１が示されている。クロージャ装置１は、例えば、衣服（例えば、ジャケット）、容器（例えば、バッグやリュックサックなど）、またはベスト（例えば、防護ベストやライフジャケットなど）のクロージャとして使用することができる。
【００４０】
各クロージャ部２，３は、周方向のエッジ２００，３００と、エッジ２００，３００に対して突出する隆起部２０１，３０１とを有する本体２０，３０を備える。この隆起部２０１，３０１には、同一形態の構造要素２２，３２が設けられた表面２０３，３０３が形成されている。
【００４１】
クロージャ部２，３は、その表面２０３，３０３を有して相並んで配置されて、構造要素２２，３２によって互いに係合することができる。これにつき、クロージャ部２，３が共に配置されたとき、これらのクロージャ部を互いに磁気的に吸引して、共に配置された位置で互いに磁気的に保持する磁石配列２１，３１は、各クロージャ部２，３において隆起部２０１，３０１の裏に形成された凹部２０２，３０２に収容されている。
【００４２】
図２は、図１に係る配列の上面図である。図３Ａから図３Ｃには、閉位置におけるクロージャ装置１が示されており、図４Ａから図４Ｃは、このクロージャ装置が負荷方向Ｂ１，Ｂ２とは反対方向に変位されるときの図である。
【００４３】
クロージャ部２，３の表面２０３，３０３における構造要素２２，３２は、図３Ｄに模式的に示されているように、脚部２２２，３２２が互いに対して鈍角で並べられたＶ字型の形状をそれぞれ有する。図３Ｃおよび図４Ｃに示される断面において、構造要素２２，３２はそれぞれ鋸歯状の形状を有し、表面２０３，３０３に対するアンダーカットを形成する脚部２２２，３２２の第１の側において表面２０３，３０３に対して鋭角で延びる制止面２２０，３２０と、脚部２２２，３２２の他方側において表面２０３，３０３に対して鈍角で延び、かつそれぞれランプを形成する乗り上げ面２２１，３２１とを有している。
【００４４】
クロージャ装置１が、クロージャ部２，３が共に配置される閉位置にあるとき、図３Ａから図３Ｃから分かるように、クロージャ部２，３の構造要素２２，３２は、構造要素２２，３２の制止面２２０，３２０が互いに向かい合うように、互いに反対側にある。（第１クロージャ部２が負荷方向Ｂ１に引っ張られ、第２クロージャ部３が負荷方向Ｂ２に引っ張られることによって）クロージャ部２，３に、負荷方向Ｂ１，Ｂ２に沿って互いに負荷が加えられる場合、構造要素２２，３２がその制止面２２０，３２０によって互いに当接することで、負荷方向Ｂ１，Ｂ２に沿ったクロージャ部２，３の相対移動がブロックされる。よって、クロージャ装置１は、張力に耐えることができ、また、この力によってクロージャ部２，３が互いに分離されることなく、大きな力を吸収することができる。
このとき、構造要素２２，３２の間の係合が生じ、一方では制止面２２０，３２０のアンダーカットによって保持され、付加的に、磁石配列２１，３１の間の磁気吸引力によって固定される。
【００４５】
図３Ａおよび図３Ｄから分かるように、構造要素２２，３２は、構造要素２２，３２の間に隙間が形成されることによって、各クロージャ部２，３において負荷方向Ｂ１，Ｂ２に対して横方向に互いに分離される。トップビューにおいて、Ｖ字型を有する構造要素２２，３２は、Ｖ字の先端がそれぞれ対応する負荷方向Ｂ１，Ｂ２を向いている（構造要素２２のＶ字の先端は負荷方向Ｂ１を向いており、構造要素３２のＶ字の先端は負荷方向Ｂ２を向いている）。
【００４６】
クロージャ装置１を開放するために、クロージャ部２，３は互いに離される。これは一方のクロージャ部２，３を他方のクロージャ部３，２から持ち上げることによって行うことができる。しかし、図４Ａから図４Ｃに示されているように、負荷方向Ｂ１，Ｂ２とは反対方向である解除方向Ｌ１，Ｌ２にクロージャ部２，３を引っ張ることで開放することも可能である。
【００４７】
クロージャ部２，３を解除方向Ｌ１，Ｌ２に互いに移動させることにより、構造要素２２，３２は、乗り上げ面２２１，３２１によって互いに乗り上げ、乗り上げ面２２１，３２１のランプ形状によって、クロージャ部２，３は互いに離れるように少なくとも僅かに持ち上げられる。その結果、クロージャ部２，３の磁石配列２１，３１の間の磁気吸引力が弱まり、クロージャ部２，３は、簡易な方法で互いに解除することができる。
【００４８】
また、構造要素２２，３２が制止面２２０，３２０の裏側に傾斜形状（Rampenform）
を有することにより、クロージャ部２，３が負荷方向Ｂ１，Ｂ２とは反対の方向（解除方向Ｌ１，Ｌ２）に引っ張られたときに一種の機械的なフリーホイーリングが実現される。これにより、第１クロージャ部２の構造要素２２は、第１クロージャ部２が解除方向Ｌ１に引っ張られると、その制止面２２０が第２クロージャ部３の構造要素３２の対応する制止面３２０から離れて、乗り上げ面２２１で、解除方向Ｌ１において第２クロージャ部３の隣接する構造要素３２の乗り上げ面３２１をスライドする。第１クロージャ部２の構造要素２２が第２クロージャ部３の当該隣接する構造要素３２を通過すると、構造要素２２の制止面２２０は、通過したばかりの当該隣接する構造要素３２の制止面３２０に面するように配置されて、クロージャ部２，３は負荷方向Ｂ１，Ｂ２に沿って精密に１つの構造要素２２，３２だけ互いにずれて配置される。
クロージャ部２，３が解除方向Ｌ１，Ｌ２に相対的に移動することにより、クロージャ部２，３の位置は、クロージャ部２，３の接線方向の移動の結果として互いに対して調整することができる。クロージャ部２，３は互いに対してラチェット状にスライド（ratschendes Gleiten）する。
【００４９】
図１から図４Ａ〜図４Ｃに係る例示的な実施形態の場合、磁石配列２１，３１は、図２に示されているように、負荷方向Ｂ１，Ｂ２に対して横方向に互いにオフセットされた磁極Ｎ，Ｓを備える。結果として、磁石配列２１，３１は負荷方向Ｂ１，Ｂ２に対して横方向に周期的である。このとき、磁石配列２１，３１の磁極Ｎ，Ｓの周期性は、クロージャ部２，３が共に配置されたとき、クロージャ部２，３の構造要素２２，３２が厳密に正確な位置で互いに係合して、制止面２２０，３２０によって負荷状態で制止するような厳密なものである。結果として、磁石配列２１，３１の多極性によって、より容易に、クロージャ部２，３を正確な位置に共に配置して、クロージャ装置１を確実に閉止することができる。
【００５０】
図５から図７の様々な例示的な実施形態に示されているように、磁石配列２１，３１の磁極を他の構成とすることも考えられ、可能である。
ここで、図６は、図１から図４Ａ〜図４Ｃに係る例示的な実施形態の配列と機能的に対応する。
【００５１】
図５に係る例示的な実施形態の場合、各磁石配列２１，３１の磁極Ｎ，Ｓは、磁極Ｎ，Ｓが負荷方向Ｂ１，Ｂ２に沿って列として周期的に交互に並んで共に配置されることによって、負荷方向Ｂ１，Ｂ２に沿って互いにオフセットされている。
これに対して、図７に係る例示的な実施形態の場合、各磁石配列２１，３１は、負荷方向Ｂ１，Ｂ２に沿った複数列の磁極が、負荷方向Ｂ１，Ｂ２を横断する横方向Ｙに２列並ぶ磁極Ｎ，Ｓの二次元パターンを有する。
【００５２】
図５および図７に係る例示的な実施形態の場合、磁極Ｎ，Ｓが負荷方向Ｂ１，Ｂ２に沿って互いにオフセットされていることにより、クロージャ部２，３を、特に、負荷方向Ｂ１，Ｂ２に沿った正確な位置において互いに係合させることができる。特に、磁石配列２１，３１は、クロージャ部２，３が配置されたとき、第１クロージャ部２の構造要素２２および第２クロージャ部３の構造要素３２が互いの間にあり、かつ、互いに重ならないように精密に位置するように、互いに対して配置することができる（そうでない場合、クロージャ装置１の閉止が不完全となる可能性がある）。
各磁石配列２１，３１の磁極Ｎ，Ｓが図７に係る例示的な実施形態のように二次元に分散されている場合、負荷方向Ｂ１，Ｂ２および負荷方向Ｂ１，Ｂ２に対して横方向の両方に沿ってより容易に正確な位置に配置することができる。
【００５３】
磁石配列２１，３１は、個々の永久磁石要素（例えば、ネオジム磁石）によって形成することができる。各磁石配列２１，３１は、対応するクロージャ部２，３の本体２０，３０の凹部２０２，３０２に収容することができ、クロージャ部２，３の本体２０，３０と接着または本体２０，３０に注型することができる。この場合、凹部２０２，３０２は、例えばカバー（例えば、フィルムなど）によって、外側に向かって閉止することができる。
【００５４】
この代替として、各磁石配列２１，３１は、例えば一部がネオジムの磁性粉末を含む、例えばプラスチック材料フィルムといった磁性フィルムによって形成することができる。このような磁性フィルムは、それぞれ対応するクロージャ部２，３の凹部２０２，３０２に収容して、本体２０，３０に接着または他の方法で連結することができる。しかしながら、クロージャ部２，３の本体２０，３０の全体をこのような磁性フィルムから形成することも可能であり、この場合、本体２０，３０、および該当する場合にはその上に設けられた構造要素２２，３２も磁性体となる。
【００５５】
図８から図１２Ａ〜図１２Ｄには、図１から図４Ａ〜図４Ｃに記載された例示的な実施形態とは、特に構造要素２２，３２の形状によって異なるクロージャ装置１の別の例示的な実施形態が示されている。
【００５６】
図８から図１２Ａ〜図１２Ｄに係る例示的な実施形態の場合、図１から図４Ａ〜図４Ｃに係る例示的な実施形態と同様にトップビューにおいてＶ字型である構造要素２２，３２は、制止面２２０，３２０の裏側にランプ状の乗り上げ面を有しておらず、（制止面２２０，３２０から離れた）後面２２３，３２３において表面２０３，３０３に対して垂直である。
【００５７】
図１０Ａから図１０Ｄに示された閉位置において、各構造要素２２，３２はそれぞれ他方の部分における構造要素３２，２２の間の空間に係合し、図１０Ｃおよび図１０Ｄから分かるように、一方の第１クロージャ部２の各構造要素２２は、脚部２２２，に形成された制止面２２０によって、他方の第２クロージャ部３の対応する構造要素３２の脚部３２２の制止面３２０に面する。
【００５８】
また、図１０Ｃおよび図１０Ｄから分かるように、クロージャ部２，３の磁石配列２１，３１は、クロージャ部２，３が互いに吸引するように、図示された位置において異なる磁極Ｎ，Ｓによって精密に互いに向かい合い、クロージャ部２，３を共に配置することにより、構造要素２，３は、図１０Ａから図１０Ｄに示されるように当接する。
【００５９】
クロージャ部２，３に負荷方向Ｂ１，Ｂ２に互いに負荷が加えられたとき、構造要素２２，３２の制止面２２０，３２０は互いに当接し、当該制止面２２０，３２０にアンダーカットが形成されていることにより、負荷を受けている構造要素２２，３２の間の係合が容易に解除されることがなく、これにより、大きな負荷を吸収することが可能である。
【００６０】
構造要素２２，３２の寸法および互いに対する配置は、構造要素２２，３２が解除方向Ｌ１，Ｌ２に互いに接することなく、クロージャ部２，３が、磁石配列２１，３１の磁極Ｎ，Ｓの周期性の半分に相当する解除移動距離ＬＷだけ、互いに対して解除方向Ｌ１，Ｌ２に変位可能であるような寸法および配置である。
【００６１】
クロージャ部２，３が互いに解除される場合、クロージャ部２，３は、負荷方向Ｂ１，Ｂ２とは反対の方向である解除方向Ｌ１，Ｌ２に解除移動距離ＬＷだけ互いに移動させることができる。これにより、構造要素２２，３２は、その制止面２２０，３２０による相互の係合から外れ、また、磁石配列２１，３１は、特に図１１Ｃおよび図１１Ｄに示されているように、磁石配列２１，３１の同じ極Ｎ，Ｓが近づくように互いに移動する。よって、クロージャ部２，３が互いに反発しあうことで、クロージャ部２，３は、互いから容易に外すことができる。
【００６２】
また、クロージャ部２，３を解除方向Ｌ１，Ｌ２に引っ張ることにより、磁気的なフリーホイーリング方式で、負荷方向Ｂ１，Ｂ２とは反対の方向である解除方向Ｌ１，Ｌ２にクロージャ部２，３の位置を調整することも可能である。これにより、クロージャ部２，３の間の磁気反発力によって第１クロージャ部２が解除方向Ｌ１に引っ張られたとき（そして、解除移動距離ＬＷだけ変位したとき）、図１１Ｃおよび図１１Ｄに示されているように、一方のクロージャ部２の構造要素２２は、他方の第２クロージャ部３のそれぞれ次の構造要素３２を飛び越える。解除方向Ｌ１，Ｌ２にさらに引っ張られたとき、図１２Ｃおよび図１２Ｄに示されているように、磁石配列２１，３１の異なる磁極が再び互いに向かい合うと、クロージャ部２，３は互いに向かって再び引っ張られる。結果として、第１クロージャ部２の各構造要素２２は、その制止面２２０によって、再度、他方の第２クロージャ部３の構造要素３２の制止面３２０に面し、これにより、クロージャ部２，３が、精密に、[構造要素２１，３１の隣り合う列の間の（周期性の）距離に相当する]磁石配列２１，３１の磁極Ｎ，Ｓの周期性の分だけ解除方向Ｌ１，Ｌ２に互いにオフセットされる。
【００６３】
クロージャ部２，３が共に配置されたとき（図１０Ａから図１０Ｄを参照）、最初に構造要素２２，３２が（負荷方向Ｂ１，Ｂ２に沿って見たとき）互いに離れていることにより、無負荷状態において、横方向Ｙに沿ってクロージャ部２，３を横方向に移動させることができる。構造要素２２，３２の制止面２２０，３２０が互いに当接も係合もしていないので、この移動は阻害されない。このような横方向の移動により、クロージャ部２，３を互いに離すようにプッシュすることで、クロージャ装置１を容易に開くことが可能である。
【００６４】
クロージャ部２，３における構造要素２２，３２を異なるように配置および設計することが考えられ、可能である。
図１３に示された例示的な実施形態の場合、各クロージャ部２，３は、互いにグリッド状に並べられた構造要素２２，３２を備える。すなわち、それぞれ複数の構造要素２２，３２を有する複数の列Ａ，Ｂが各クロージャ部２，３に設けられており、複数の構造要素２２，３２は、クロージャ部２，３が配置されたとき、負荷方向Ｂ１，Ｂ２におけるクロージャ部２，３の相対的な移動を阻止するように構造的に相互作用する。
【００６５】
図１３に係る例示的な実施形態の場合、異なる列Ａ，Ｂの構造要素２２，３２は、負荷方向Ｂ１，Ｂ２に対して横方向から見たとき、互いにずれていない。よって、各クロージャ部２，３の異なる列Ａ，Ｂの構造要素２２，３２は、（負荷方向Ｂ１，Ｂ２に沿って見たとき）互いに整合する。
【００６６】
対照的に、図１４に係る例示的な実施形態の場合、隣り合う列Ａ，Ｂの構造要素２２，３２は、（負荷方向Ｂ１，Ｂ２に対して横方向に計測した）構造要素２２，３２の幅の精密に半分だけ互いにずれてオフセットされている。再度述べると、２つのクロージャ部２，３の構造要素２２，３２は、クロージャ部２，３が共に配置されたとき、ブロックするように相互に作用する。
【００６７】
図１５に係る例示的な実施形態の場合、構造要素２２，３２は、負荷方向Ｂ１，Ｂ２に対して角度をつけて延びる直線状の突出要素によってそれぞれ形成されている。このとき、隣り合う列Ａ，Ｂの構造要素２２，３２は、互いに対して精密に鏡像対称に配置されている（列Ａ，Ｂの間の中央の直線が鏡の軸にあたる）。よって、構造要素２２，３２は共に、負荷方向Ｂ１，Ｂ２および負荷方向Ｂ１，Ｂ２に対して横方向におけるクロージャ部２，３の相対移動をブロックする。
【００６８】
図１６に係る例示的な実施形態の場合、構造要素２２，３２は基本的にＶ字形状であるものの、この場合、その先端がカーブしている。閉位置において、第１クロージャ部２の構造要素２２は、精密に、（負荷方向Ｂ１，Ｂ２を横断する横方向Ｙから見たとき）他方の第２クロージャ部３の構造要素３２の間にある。
図１７に係る例示的な実施形態の場合、構造要素２２，３２は円弧状に形成されている。
【００６９】
磁石配列２１，３１の磁極Ｎ，Ｓが負荷方向Ｂ１，Ｂ２に沿って交互に列として共に配置された場合、磁石配列２１，３１は、図１８Ａから図１８Ｃの例示的な実施形態に示されているように、互いに精密に整合させることができる。このとき、クロージャ部２，３を配置するために磁極Ｎ，Ｓが互いに向かい合うように配置されたとき、２つのクロージャ部２，３の構造要素２２，３２の制止面２２０，３２０は互いに離間している。これにより、クロージャ部２，３が共に配置されたとき、制止面２２０，３２０は互いに直接当接していないものの、構造要素２２，３２は（最初に）互いの間にある。これにより、構造要素２２，３２が傾くこと、特に構造要素２２，３２が互いに重なり合うことが防止されるので、クロージャ部２，３を共により容易に配置することができる。制止面２２０，３２０は、図１８Ｃに示されているように、負荷方向Ｂ１，Ｂ２に負荷が加えられるまで互いに当接しないので、クロージャ部２，３の間の相対的な移動がブロックされる。
【００７０】
この構成は、構造要素２２，３２がその制止面２２０，３２０にアンダーカットを有する例示的な実施形態についての図１９Ａから図１９Ｃにおいて同様に示されている。特にこの場合、磁石配列２１，３１の磁極Ｎ，Ｓが互いに向かい合っており、構造要素２２，３２の制止面２２０，３２０が互いに離間していることにより、クロージャ部２，３をより容易に配置することができる。
【００７１】
図２０から図２６には、（負荷方向Ｂ１，Ｂ２に沿って）様々な周期性Ｐ２の磁極Ｎ，Ｓ、および、様々な設計の磁極Ｎ，Ｓを有する様々な例示的な実施形態の磁石配列２１，３１が示されている。
よって、図２０に係る例示的な実施形態の場合、磁石配列２１，３１の周期性Ｐ２は、構造要素２２，３２の周期性Ｐ１と精密に一致する。
対照的に、図２１に係る例示的な実施形態の場合、磁石配列２１，３１の周期性Ｐ２は、構造要素２２，３２の周期性Ｐ１の４倍である。よって、図２１に係る例示的な実施形態の場合、クロージャ部２，３を共に配置して磁気的に吸引させることができる位置の数は減少する。
【００７２】
図２２から図２４には、負荷方向Ｂ１，Ｂ２に沿って様々な周期性Ｐ２を有する磁石配列２１が示されている。図２３に係る例示的な実施形態の場合、周期性Ｐ２は、図２２に係る例示的な実施形態の周期性Ｐ２の半分であり、また、図２４に係る例示的な実施形態の場合、磁石配列２１の磁極Ｎ，Ｓの周期性Ｐ２は、図２３に係る例示的な実施形態の場合の磁石配列２１の周期性Ｐ２の半分である。
図２５および図２６には、磁極Ｎ，Ｓは、必ずしも横方向に沿って（または、場合によっては負荷方向Ｂ１，Ｂ２に沿って）直線状に延びていなくてもよく、例えば、Ｖ字形状であってもよいことが示されている。これにつき、図２６に示されているように、磁極Ｎ，Ｓを横方向Ｙに沿って周期性Ｐ３を有するジグザグ状に設計することも可能である。
【００７３】
クロージャ装置１のクロージャ部２，３は、例えば衣服または容器に使用するために、少なくともある程度の可撓性を有していてもよい。しかし、この場合、構造要素２，３が共に配置されたとき、構造要素２２，３２に対するねじりによって構造要素２２，３２が相互の係合から外れて、クロージャ部２，３の間の連結が解除されることのないようにしなければならない。
【００７４】
このため、図２９から図３４を用いて後述するように、構造要素２２，３２が負荷方向Ｂ１，Ｂ２に対して角度をつけて延びていることが有利といってもよい。
図２７および図２９に例として示されているような、直線状に延びかつ負荷方向Ｂ１，Ｂ２に対して横方向に設けられた構造要素２２の場合、また、図３１Ａおよび図３１Ｂに例として示されているような、直線状に延びかつ横方向に並べられた複数の構造要素２２の配列の場合、構造要素２２が、横方向Ｙを中心として（負荷方向Ｂ１，Ｂ２に沿った曲げ方向に）補強するようにねじりＴとは反対に作用する長さＸ１は、構造要素２２が対応するクロージャ部２の本体２０に締結されるエッジの幅と精密に一致する。
これにより、単一の構造要素２２（例えば、図２７および図２９を参照）並びに構造要素２２の１つの配列（図３１Ａおよび図３１Ｂを参照）は、横方向Ｙを中心として作用し、かつ負荷方向Ｂ１，Ｂ２に沿った曲げを生じさせるねじりＴにほとんど対抗することができない。
【００７５】
これは、構造要素２２の列Ａについては図２８および図３０に、また、共に列として配置された構造要素２２の複数の列Ａ，Ｂについては図３２Ａ，図３２Ｂに例として示されているように、角度をつけて延びる構造要素２２の場合とは異なる。角度をつけて延びる構造要素２２について、構造要素２２が、ねじりＴとは反対に横方向Ｙを中心として補強するように作用する長さＸ２は、図３０，図３２Ａおよび図３２Ｂから分かるように、負荷方向Ｂ１，Ｂ２に突出する長さと一致する。よって、構造要素２２は、横方向Ｙを中心としてねじりＴおよび負荷方向Ｂ１，Ｂ２に沿ったクロージャ部２の曲げとは反対の方向に効果的に作用する。
【００７６】
角度をつけて延びる構造要素２２は、さらに、図３３および図３４から分かるように、クロージャ部２，３の間の連結を自己補強する作用も有する。
これにより、図３３に示されているように、直線状に延びかつ負荷方向Ｂ１，Ｂ２に対して横方向に設けられた構造要素２２の場合、横方向Ｙに沿った横方向の変位は阻害されないので、クロージャ部２，３は、負荷状態であっても互いに横方向に変位することができ、結果として、負荷状態におけるクロージャ装置１の開放（場合によっては、意図しない開放）が可能である。
【００７７】
しかし、図３４に示されているように、角度をつけて延びる構造要素２２の場合、力Ｆは構造要素２２に伝達され、垂直力ＦＮと接線力ＦＱとに分散される。接線力ＦＱは、横方向Ｙに沿ってそれぞれ隣接する構造要素２２の方向に作用して、この隣接する構造要素２２によって支持される。つまり、図３４の底部に示された構造要素２２の場合、接線力ＦＱは斜め上方に作用し、この構造要素２２の上方に設けられた構造要素２２によって支持される。これにより、他方のクロージャ部３の対応する構造要素３２におけるクロージャ部２の構造要素２２の配列の係合は自己補強され、横方向の変位、特に横方向Ｙに沿った変位が阻害される。
【００７８】
本発明の根底にある構想は、上述の例示的な実施形態に限定されるものではなく、原則として、全く異なる方法で実現することも可能である。
よって、クロージャ部の表面における構造要素を全く異なる構造形態とすることも可能である。例えば、規則的または不規則に表面から突出することで、互いに対して規則的または不規則に設けられた山部および谷部を形成する（微視的に）小さな構造要素による粗面化を、表面に施してもよい。
【００７９】
クロージャ部は、個別の永久磁石要素（例えば、ネオジム磁石）から形成される磁石配列を有していてもよい。
しかしながら、クロージャ部が、クロージャ部の本体に接着または溶接された１つまたは複数の磁性フィルムを備えるように構成することも考えられ、可能である。また、このとき、クロージャ部の本体自体が永久磁石（フィルム）材料によって、例えば磁性粉末を含有させることによって実現されるように構成することも考えられ、可能である。
【符号の説明】
【００８０】
１     クロージャ装置
２，３ クロージャ部
２０，３０    本体
２００，３００       エッジ
２０１，３０１       隆起部
２０２，３０２       凹部
２０３，３０３       表面
２１，３１    磁石配列
２２，３２    構造要素
２２０，３２０       制止面（アンダーカット）
２２１，２２２       乗り上げ面（ランプ）
２２２，３２２       脚部
２２３，３２３       裏面
Ａ，Ｂ 列
Ｂ１，Ｂ２    負荷方向
Ｆ     力
Ｌ１，Ｌ２    解除方向
Ｎ，Ｓ 磁極
Ｐ１〜Ｐ３    周期性
Ｘ１，Ｘ２    長さ
Ｘ     長手方向
Ｙ     横方向
【図１】
2019529033.tif 000003
【図２】
2019529033.tif 000004
【図３Ａ】
2019529033.tif 000005
【図３Ｂ】
2019529033.tif 000006
【図３Ｃ】
2019529033.tif 000007
【図３Ｄ】
2019529033.tif 000008
【図４Ａ】
2019529033.tif 000009
【図４Ｂ】
2019529033.tif 000010
【図４Ｃ】
2019529033.tif 000011
【図５】
2019529033.tif 000012
【図６】
2019529033.tif 000013
【図７】
2019529033.tif 000014
【図８】
2019529033.tif 000015
【図９】
2019529033.tif 000016
【図１０Ａ】
2019529033.tif 000017
【図１０Ｂ】
2019529033.tif 000018
【図１０Ｃ】
2019529033.tif 000019
【図１０Ｄ】
2019529033.tif 000020
【図１１Ａ】
2019529033.tif 000021
【図１１Ｂ】
2019529033.tif 000022
【図１１Ｃ】
2019529033.tif 000023
【図１１Ｄ】
2019529033.tif 000024
【図１２Ａ】
2019529033.tif 000025
【図１２Ｂ】
2019529033.tif 000026
【図１２Ｃ】
2019529033.tif 000027
【図１２Ｄ】
2019529033.tif 000028
【図１３】
2019529033.tif 000029
【図１４】
2019529033.tif 000030
【図１５】
2019529033.tif 000031
【図１６】
2019529033.tif 000032
【図１７】
2019529033.tif 000033
【図１８Ａ】
2019529033.tif 000034
【図１８Ｂ】
2019529033.tif 000035
【図１８Ｃ】
2019529033.tif 000036
【図１９Ａ】
2019529033.tif 000037
【図１９Ｂ】
2019529033.tif 000038
【図１９Ｃ】
2019529033.tif 000039
【図２０】
2019529033.tif 000040
【図２１】
2019529033.tif 000041
【図２２】
2019529033.tif 000042
【図２３】
2019529033.tif 000043
【図２４】
2019529033.tif 000044
【図２５】
2019529033.tif 000045
【図２６】
2019529033.tif 000046
【図２７】
2019529033.tif 000047
【図２８】
2019529033.tif 000048
【図２９】
2019529033.tif 000049
【図３０】
2019529033.tif 000050
【図３１Ａ】
2019529033.tif 000051
【図３１Ｂ】
2019529033.tif 000052
【図３２Ａ】
2019529033.tif 000053
【図３２Ｂ】
2019529033.tif 000054
【図３３】
2019529033.tif 000055
【図３４】
2019529033.tif 000056
【国際調査報告】
2019529033.tif 000057
2019529033.tif 000058
2019529033.tif 000059
2019529033.tif 000060